(57)【要約】【課題】ポートの識別が可能な光ファイバシート及びその製造方法、並びに、光ファイバ配線体を提供する。【解決手段】本発明の光ファイバシートは、シート基板Ｓ上に複数本の光ファイバが配線されると共に複数の入力ポートＩＮ−１〜ＩＮ−４と出力ポートＯＵＴ−１〜ＯＵＴ−４とを備える。各入力ポート・出力ポートは夫々複数本の光ファイバ１ａ〜１ｄを有する光ファイバ群１〜４からなり、その光ファイバの少なくとも一部は着色層を備える。この着色層は、入力ポート側と出力ポート側とが異色の着色層とされており、且つその色替え点は前記シート基板上のいずれかの地点に位置している。【選択図】図１
2008059004.tif 000002
【特許請求の範囲】
【請求項１】
シート基板上に、複数の入力ポートと複数の出力ポートとの間で、複数本の光ファイバが組み替え変換されるように配線された光ファイバシートであって、
上記複数の入力ポート及び上記複数の出力ポートは、ポート内の光ファイバ間で異色と識別される光ファイバを１本含み且つ該ポート内で異色と識別される１本の光ファイバが、入力ポート側と出力ポート側とで異色と視認できる色識別が付された光ファイバである入力ポート及び／又は出力ポートを包含し、
上記入力ポート側と出力ポート側とで異色と視認できる色識別が付された光ファイバは、入力ポート側において、その色に対応した入力ポートに帰属すると共に、出力ポート側において、その色に対応した出力ポートに帰属することを特徴とする光ファイバシート。
【請求項２】
シート基板上に、複数の入力ポートと複数の出力ポートとの間で、複数本の光ファイバが組み替え変換されるように配線された光ファイバシートであって、
上記複数の入力ポート及び上記複数の出力ポートは、ポート内の光ファイバ間で着色層が異色に着色された光ファイバを１本含み且つ該ポート内で着色層が異色に着色された１本の光ファイバが、入力ポート側と出力ポート側とで着色層が異色に着色された光ファイバである入力ポート及び／又は出力ポートを包含し、
上記入力ポート側と出力ポート側とで着色層が異色に着色された光ファイバは、入力ポート側において、その色に対応した入力ポートに帰属すると共に、出力ポート側において、その色に対応した出力ポートに帰属することを特徴とする光ファイバシート。
【請求項３】
上記入力ポート側と出力ポート側とで着色層が異色に着色された光ファイバの着色層の色替え点は、シート基板上に位置されていることを特徴とする請求項２記載の光ファイバシート。
【請求項４】
上記光ファイバの着色層は、シート基板への光ファイバの配線時に施与されたものであることを特徴とする請求項２又は３に記載の光ファイバシート。
【請求項５】
上記複数の入力ポート及び上記複数の出力ポートのそれぞれには多芯光コネクタが取付けられていることを特徴とする請求項１〜４のいずれかに記載の光ファイバシート。
【請求項６】
シート基板上に、複数の入力ポートと複数の出力ポートとの間で、複数本の光ファイバが組み替え変換されるように配線され、該複数の入力ポート及び該複数の出力ポートが、ポート内の光ファイバ間で着色層が異色に着色された光ファイバを１本含み且つ該ポート内で着色層が異色に着色された１本の光ファイバが、入力ポート側と出力ポート側とで着色層が異色に着色された光ファイバである入力ポート及び／又は出力ポートを包含し、該入力ポート側と出力ポート側とで異色と視認できる色識別が付された光ファイバが、入力ポート側において、その色に対応した入力ポートに帰属すると共に、入力ポート側において、その色に対応した入力ポートに帰属する光ファイバシートの製造方法であって、
光ファイバの着色層を、シート基板への光ファイバの配線時に施与することを特徴とする光ファイバシートの製造方法。
【請求項７】
複数の入力ポートと複数の出力ポートとの間で、複数本の光ファイバが組み替え変換されるように配線された光ファイバ配線体であって、
上記複数の入力ポート及び上記複数の出力ポートは、ポート内の光ファイバ間で異色と識別される光ファイバを１本含み且つ該ポート内で異色と識別される１本の光ファイバが、入力ポート側と出力ポート側とで異色と視認できる色識別が付された光ファイバである入力ポート及び／又は出力ポートを包含し、
上記入力ポート側と出力ポート側とで異色と視認できる色識別が付された光ファイバは、入力ポート側において、その色に対応した入力ポートに帰属すると共に、入力ポート側において、その色に対応した入力ポートに帰属することを特徴とする光ファイバ配線体。
【請求項８】
上記複数の入力ポート及び上記複数の出力ポートのそれぞれには多芯光コネクタが取付けられていることを特徴とする請求項７に記載の光ファイバ配線体。
【発明の詳細な説明】
【技術分野】
【０００１】
本発明は、複数本の光ファイバが配線された光ファイバシート及びその製造方法、並びに、光ファイバ配線体に関し、特に入力ポート・出力ポート間で光ファイバが組み替え配線されたものに関する。
【背景技術】
【０００２】
接着層付きのシート基板上に複数本の光ファイバを配線し、該基板の端縁部から所定本数の光ファイバを入力ポート用・出力ポート用として引き出し、その引き出し端にコネクタを取付けてなる光ファイバシートが、通信装置やコンピュータの内部配線用として用いられつつある。かかる光ファイバシートに用いられる光ファイバとしては、予め着色処理（光ファイバ素線上に被覆される被覆層に着色がなされている）されたものを用いるのが一般的である。
【０００３】
ところで、上記した光ファイバシートにあっては、入力ポートと出力ポートとが一筆書き状に配線された1本の光ファイバで構成されている場合は別として、入力ポート及び出力ポートの少なくともいずれか一方を複数有する場合、使用時等にポートの識別の必要性が生じる。この点、複数のポートのそれぞれが１本の光ファイバで構成されている場合には、それぞれ異色の光ファイバを用いて配線することにより容易にポートの識別をすることができる。また、光ファイバ群で構成された１つの入力ポートと、これが樹枝状に分散された複数の出力ポートとを有する場合でも同様である。
【発明の開示】
【発明が解決しようとする課題】
【０００４】
ところが、入力ポート及び出力ポートをそれぞれ複数有すると共に各ポートが複数本の光ファイバからなる光ファイバ群で構成され、且つ、入力−出力ポート間でマトリクス変換配線されている場合はポートの識別が困難となる。例えば、図３に示すように、４つの入力ポートＩＮ−１〜ＩＮ−４のそれぞれが４本の光ファイバからなる光ファイバ群１〜４で構成されている場合、光ファイバ群１の光ファイバを赤色の着色層を有するもの、光ファイバ群２の光ファイバを黄色の着色層を有するもの、光ファイバ群３の光ファイバを橙色の着色層を有するもの、及び、光ファイバ群４の光ファイバを緑色の着色層を有するものとしてそれぞれを配線すれば、入力ポート側では各ポートの識別を行うことができる。しかしながら、出力ポートＯＵＴ−１においては、入力ポートＩＮ−１における赤色光ファイバのうちの１本が配線されると共に、別の入力ポートＩＮ−２〜ＩＮ４の黄色、橙色、緑色の各１本が配線されることになり、また、他の出力ポートＯＵＴ−２〜ＯＵＴ−４においても全く同様な配線態様となってしまう。つまり、出力ポートＯＵＴ−１〜ＯＵＴ−４においては、マトリクス変換配線されたことにより各色の光ファイバが入り乱れる結果となり、各出力ポート相互の識別が実質的にできないという不都合がある。
【０００５】
従って本発明は上記問題に鑑み、ポートの識別が可能な光ファイバシート及びその製造方法、並びに、光ファイバ配線体を提供することを目的としている。
【課題を解決するための手段】
【０００６】
本発明の光ファイバシートは、シート基板上に複数本の光ファイバが配線されると共に複数の入力ポートと出力ポートとを備える光ファイバシートであって、前記複数本の光ファイバは、入力ポート側と出力ポート側とで異色と視認できる色識別をそれぞれのポート側に付した光ファイバを含んで配線されていることを特徴とするものである。
【０００７】
より好ましい構成は、シート基板上に複数本の光ファイバが配線されると共に複数の入力ポートと出力ポートとを備える光ファイバシートであって、一部又は全部の入力ポート・出力ポートは夫々複数本の光ファイバを有し、該光ファイバの少なくとも一部は着色層を備えると共に、入力ポート側と出力ポート側とが異色の着色層とされている態様である。この場合、その色替え点は前記シート基板上に位置していることが望ましい。
【０００８】
さらに上記構成において、複数の入力ポートと複数の出力ポートとの間において光ファイバ群が組み替え変換されるように配線された光ファイバシートであって、１つの入力ポートにおける各光ファイバは同色とされる一方で、他の入力ポートにおける光ファイバ群とは相互に異色とされており、組み替え配線途中において光ファイバの着色層に適宜色替え点を設けることにより、１つの出力ポートにおける各光ファイバは同色とされると共に他の出力ポートにおける光ファイバ群とは相互に異色とされているように構成することが望ましい。ここで、「組み替え変換」とは、少なくとも１つの入力ポートの複数の光ファイバが複数の出力ポートに分かれて配線された態様、及び／又は、少なくとも１つの出力ポートが複数の入力ポートからの光ファイバが配線された態様をいう。
【０００９】
また、前記光ファイバの着色層は、シート基板への光ファイバの配線時に施与することが好ましい。
【００１０】
つまり、シート基板上に複数本の光ファイバが配線されると共に複数の入力ポートと出力ポートとを備え、一部又は全部の入力ポート・出力ポートが夫々複数本の光ファイバを有し、該光ファイバの少なくとも一部は着色層を備えると共に、入力ポート側と出力ポート側とが異色の着色層とされた本発明の光ファイバシートの製造方法は、光ファイバの着色層を、シート基板への光ファイバの配線時に施与することを特徴とする。
【００１１】
さらに、各入力ポート及び出力ポートには多芯光コネクタを取付けるようにすることが好ましい。
【００１２】
本発明の光ファイバ配線体は、複数本の光ファイバが配線されると共に複数の入力ポートと出力ポートとを備えるものであって、前記複数本の光ファイバが、入力ポート側と出力ポート側とで異色と視認できる色識別をそれぞれのポート側に付した光ファイバを含んで配線されていることを特徴とする。
【００１３】
また、本発明の光ファイバ配線体は、複数の入力ポートと出力ポートとの間において光ファイバ群が組み替え変換されるように配線され、１つの入力ポートにおける各光ファイバは同色とされる一方で、他の入力ポートにおける光ファイバ群とは相互に異色とされており、組み替え配線途中において光ファイバの着色層に適宜色替え点を設けることにより、１つの出力ポートにおける各光ファイバは同色とされると共に他の出力ポートにおける光ファイバ群とは相互に異色とされていることを特徴とするものであってもよい。
【００１４】
さらに、各入力ポート及び出力ポートには多芯光コネクタを取付けるようにすることが好ましい。
【００１５】
本発明においては、少なくとも色識別を付した光ファイバについては、複数の入力ポート及び／又は複数の出力ポートのいずれに属するのかを識別することができることによりポートの識別を行うことができる。特に、各々が光ファイバ群からなる複数の入力ポートと複数の出力ポートとの間でマトリクス変換配線等の組み替え変換配線するような場合でも、入力ポート側のみならず出力ポート側においても同一ポートに属する光ファイバのいずれにも同一の色識別を付すことにより明確に入力ポート及び出力ポートの識別を行うことができる。
【発明の効果】
【００１６】
以上説明した通りの本発明によれば、少なくとも色識別を付した光ファイバについては、複数の入力ポート及び／又は複数の出力ポートのいずれに属するのかを識別することができることによりポートの識別を行うことができる。特に、各々が光ファイバ群からなる複数の入力ポートと複数の出力ポートとの間でマトリクス変換配線等の組み替え変換配線するような場合でも、入力ポート側のみならず出力ポート側においても同一ポートに属する光ファイバのいずれにも同一の色識別を付すことにより明確に入力ポート及び出力ポートの識別を行うことができる。また、各入力・出力ポートにコネクタを取付ける作業時において、取付誤りが生じる可能性を極めて低く抑えられることができ、光ファイバシート又は光ファイバ配線体の生産性を高いものとすることができるという優れた効果が奏される。
【発明を実施するための最良の形態】
【００１７】
以下図面に基いて、本発明の実施態様につき詳細に説明する。
【００１８】
（実施形態１）
図１は本発明の実施形態１にかかる光ファイバシート１００の一例を示す平面図であり、図２は図1のA部を拡大した図である。図示する通り、シート基板Ｓの上に多数本の光ファイバが配線されてなり、該光ファイバは、入力ポートＩＮ−１〜ＩＮ−４から出力ポートＯＵＴ−１〜ＯＵＴ−４へ向けてマトリクス変換されるように配線されている。
【００１９】
即ち、入力ポートＩＮ−１は４本の光ファイバ群１からなり、そのうちの光ファイバ１ａは出力ポートＯＵＴ−１へ、光ファイバ１ｂは出力ポートＯＵＴ−２へ、光ファイバ１ｃは出力ポートＯＵＴ−３へ、及び光ファイバ１ｄは出力ポートＯＵＴ−４へそれぞれ向うよう、シート基板Ｓ上で配線されている。同様に入力ポートＩＮ２〜ＩＮ−４における光ファイバ群２〜４もまた、各１本ずつの光ファイバが出力ポートＯＵＴ−１〜ＯＵＴ−４へ向けて配線されている。
【００２０】
ここで、シート基板Ｓ上に配線されている光ファイバは、それぞれその最外層に着色層を備えており、必要に応じて前記基板Ｓ上において該着色層の色を変化させている。図２はその一例を示している。入力ポートＩＮ−１における４本の光ファイバ群１の着色層が赤色であるとするとき、その内の１本の光ファイバ１ａは着色の色を変化させることなく、そのまま出力ポートＯＵＴ−１へ配線する。
【００２１】
一方、他の光ファイバ１ｂは、シート基板Ｓ上での配線途中で、その着色層を赤色から黄色に変化させ、出力ポートＯＵＴ−２へ配線している。同様に残りの光ファイバ１ｃ，１ｄも、それぞれ途中で赤色から橙色、赤色から緑色に変色され、出力ポートＯＵＴ−３、ＯＵＴ−４へ配線されている。また、入力ポートＩＮ−２の光ファイバ群２の着色層を黄色、入力ポートＩＮ−３の光ファイバ群３の着色層を橙色、及び入力ポートＩＮ−４の光ファイバ群４の着色層を緑色とするとき、各々４本の光ファイバのうち１本を除いて色替えを行い、上述した光ファイバ群１をＯＵＴ−１〜ＯＵＴ−４へ配分した光ファイバの色に合わせて、それぞれ配線を行っている。
【００２２】
このようにして得られた光ファイバシート１００は、出力ポートＯＵＴ−１における光ファイバ群１０の光ファイバは４本とも赤色に着色されたものが集まり、同様に出力ポートＯＵＴ−２における光ファイバ群２０の光ファイバは全て黄色、出力ポートＯＵＴ−３における光ファイバ群３０の光ファイバは全て橙色、出力ポートＯＵＴ−４における光ファイバ群１０の光ファイバは全て緑色というように、マトリクス変換配線をしたのにかかわらず、入力ポート側のみならず出力ポート側においてもポートの識別を明確に行うことができるものである。
【００２３】
本発明において用いるシート基板Ｓとしては、配線される光ファイバを接着・固定しうるような接着層を備えたシート材を用いることができる。例えば、ポリイミド樹脂、ポリエチレンテレフタレート樹脂、ポリエチレンナフタレート樹脂等からなる樹脂シートが好適に用い得る。また接着層としては、粘着性ないしは接着性を有し光ファイバを確実に固定できるものであれば良く、例えばシリコーン系の接着剤等が例示できる。なお、通常はシート基板Ｓ上に光ファイバを配線した後、配線乱れの防止や外傷からの保護を目的として、その上に保護シートが被せられる。かかる保護シートとしても、前掲の樹脂シートを用いることができる。
【００２４】
シート基板Ｓ上への光ファイバの配線は、例えば、光ファイバを巻回したリール等の光ファイバ供給手段を有し回動自在とされた布線ヘッドを備えた布線装置を用いて、光ファイバをヘッドから繰出してシート基板の接着層へ接着させつつ所期のパターンを描くと共に、シート基板Ｓの端縁から飛び出したルートを経由して一筆書き状に光ファイバを布線し、その後に基板からの突出部分で光ファイバを切断する方法などにより行うことができる。
【００２５】
本発明においては、シート基板Ｓ上に配線される複数本の光ファイバの中に、入力ポート側と出力ポート側とで異色と視認できる色識別を付した光ファイバを含ませて配線されていなければならない。この色識別は、前述の実施例の如く光ファイバ素線の最外層全周に色付きの被覆を設けて着色層とし、この色を入力ポート側と出力ポート側とで異色とする他、無着色又は下地色が同一の光ファイバの入力ポート側と出力ポート側とに夫々異色のラインマーカやドットマーク等を付す態様であってもよい。
【００２６】
また色識別は、必ずしも当該光ファイバの全長にわたってなされる必要はなく、少なくとも入力ポート側と出力ポート側部分において視認できる色識別がなされていればよい。例えば上記ラインマーカ等は、各ポートから延出されている光ファイバの一部分に付す態様でも構わない。また各ポートから複数本の光ファイバが延出している場合に、各光ファイバ全てにラインマーカ等を付す必要はなく、各ポートの少なくとも１本の光ファイバに付されていればよい。
【００２７】
上述のように、光ファイバに対し入力ポート側と出力ポート側とで異色の色識別を付す方法は各種採用し得るが、製造効率や製品仕上りの美観上の観点等からは、着色層の色替え点がシート基板上に位置していることが望ましい。このような色替え点の形成は、上記の布線装置に光ファイバへの着色機構を付加することで実現できる。即ち、例えば上記の実施例であれば、赤色、黄色、橙色、及び緑色の着色インクをそれぞれ含浸させた着色ヘッドを、布線ヘッドにおいて供給進行する光ファイバに対して当接自在な出没機構を付加して配備する、あるいはインクジェットヘッドを当該光ファイバに対して噴射自在に配備する等して、シート基板Ｓへ布線される直前に着色可能としておく。
【００２８】
そして、光ファイバを上述の通り一筆書き配線しつつ、光ファイバの繰出し量などからシート基板上における色替え点を逆算して上記の着色ヘッドやインクジェットヘッドの適宜な色を動作させて光ファイバに着色を行わせるようにすればよい。なお、光ファイバの識別は入力・出力ポートにおいて基板から突出している部分において行えれば足り、即ちシート基板上のいずれかの地点で色替えがされていれば足りるので、この色替えは必ずしも寸法的な精密性は要求されない。
【００２９】
各入力ポートＩＮ−１〜ＩＮ−４、及び出力ポートＯＵＴ−１〜ＯＵＴ−４の光ファイバ群の終端には多芯コネクタＣが取付けられる。この多芯光コネクタＣの取付は、上記の布線が終わり、導光試験等を行い、不要な光ファイバを切除した後に行われるが、本発明の光ファイバシート１００であれば、入力ポート・出力ポート共明確に光ファイバの色分けがなされているので、多芯光コネクタＣの取付作業の際にミスが生じることはない。従って、多芯光コネクタＣの取付作業の作業性が良好なものとなるので、光ファイバシート１００の生産性が高いものとなる。
【００３０】
（実施形態２）
図４は、本発明の実施形態２に係る光ファイバ配線体２００を示す。なお、実施形態１と同一部分については同一符号で示す。
【００３１】
この光ファイバ配線体２００は、実施形態１に係る光ファイバシート１００からシート基板を取り外した構成のものである。従って、この光ファイバ配線体２００は、それぞれに多芯光コネクタＣが取り付けられた４つの入力ポートＩＮ−１〜ＩＮ−４及び出力ポートＯＵＴ−１〜ＯＵＴ−４を備えており、入力ポートＩＮ−１〜ＩＮ−４から出力ポートＯＵＴ−１〜ＯＵＴ−４へ向けてマトリクス変換されるように光ファイバが配線されたものである。具体的には、入力ポートＩＮ−１は４本の光ファイバ群１からなり、そのうちの１本の光ファイバ１ａが出力ポートＯＵＴ−１へ、１本の光ファイバ１ｂが出力ポートＯＵＴ−２へ、１本の光ファイバ１ｃが出力ポートＯＵＴ−３へ、そして、残りの１本の光ファイバ１ｄが出力ポートＯＵＴ−４へそれぞれ向うように配線されている。同様に入力ポートＩＮ２〜ＩＮ−４における光ファイバ群２〜４もまた、各１本ずつの光ファイバが出力ポートＯＵＴ−１〜ＯＵＴ−４へ向けて配線されている。
【００３２】
各光ファイバは、その最外層に着色層を備えており、入力ポートから出力ポートに向かう配線途中において、適宜その着色層の色が変えられている。具体的には、入力ポートＩＮ−１における４本の光ファイバ群１の各光ファイバの着色層は赤色であり、そのうちの出力ポートＯＵＴ−１へ配線されている光ファイバ１ａは着色層の色が赤色のままである。これに対して、出力ポートＯＵＴ−２に配線されている光ファイバ１ｂは、配線途中で着色層が赤色から黄色に変えられている。また、出力ポートＯＵＴ−３に配線されている光ファイバ１ｃは、配線途中で着色層が赤色から橙色に変えられている。さらに、出力ポートＯＵＴ−４に配線されている光ファイバ１ｄは、配線途中で着色層が赤色から緑色に変えられている。同様に、入力ポートＩＮ−２の光ファイバ群２の各光ファイバの着色層が黄色、入力ポートＩＮ−３の光ファイバ群３の各光ファイバの着色層が橙色、及び、入力ポートＩＮ−４の光ファイバ群４の各光ファイバの着色層が緑色とされ、出力ポートＯＵＴ−１に配線される光ファイバは着色層が赤色、出力ポートＯＵＴ−２に配線される光ファイバは着色層が黄色、出力ポートＯＵＴ−３に配線される光ファイバは着色層が橙色、及び、出力ポートＯＵＴ−４に配線される光ファイバは着色層が緑色となるように、適宜、各光ファイバの着色層の色が変えられている。
【００３３】
これによって、この光ファイバ配線体２００は、入力ポートＩＮ−１の光ファイバ群１の光ファイバが４本とも赤色に、入力ポートＩＮ−２における光ファイバ群２の光ファイバが全て黄色に、入力ポートＩＮ−３における光ファイバ群３の光ファイバが全て橙色に、及び、入力ポートＩＮ−４における光ファイバ群４の光ファイバが全て緑色にそれぞれ着色されてポート毎に着色層の色が相互に相違していると共に、出力ポートＯＵＴ−１の光ファイバ群１０の光ファイバが４本とも赤色に、出力ポートＯＵＴ−２における光ファイバ群２０の光ファイバが全て黄色に、出力ポートＯＵＴ−３における光ファイバ群３０の光ファイバが全て橙色に、出力ポートＯＵＴ−４における光ファイバ群１０の光ファイバが全て緑色にそれぞれ着色されてポート毎に着色層の色が相互に相違しており、マトリクス変換配線されたものであるにもかかわらず、入力ポート側及び出力ポート側のそれぞれにおいてポートの識別を明確に行うことができるものとなっている。
【００３４】
この光ファイバ配線体２００は、実施形態１に係る光ファイバシート１００を作成するようにシート基板上に光ファイバを布線した後、入力ポートＩＮ−１〜ＩＮ−４及び出力ポートＯＵＴ−１〜ＯＵＴ−４のそれぞれを構成する光ファイバ束１〜４，１０〜４０をテープ化（固着化）し、そして、シート基板を取り外すことにより容易に製造することができる。また、実施形態１に係る光ファイバシート１００を作成するようにシート基板上に光ファイバを布線した後、入力ポートＩＮ−１〜ＩＮ−４及び出力ポートＯＵＴ−１〜ＯＵＴ−４にそれぞれ多芯光コネクタＣを取り付け、そして、シート基板を取り外すようにして製造してもよい。
【００３５】
光ファイバの着色態様及び着色方法等、並びに、作用効果については、実施形態１と同様である。
【００３６】
（その他の実施形態）
以上の実施形態１及び２では、マトリクス変換配線する場合について説明したが、本発明はその他の組み替え変換配線を含む各種配線パターンにおいて、ポートの識別が必要な場合に種々適用することができる。また色替えも、各入力ポート・出力ポートにおいて必ずしもすべての光ファイバを同一色に色替えせずともよく、明確に他のポートと識別できるよう色替えされていればよい。例えば、各ポートの識別を光ファイバ群に含まれる１本の光ファイバの色で行うようにしてもよい。
【産業上の利用可能性】
【００３７】
本発明は、複数本の光ファイバが配線された光ファイバシート及びその製造方法、並びに、光ファイバ配線体に関し、特に入力ポート・出力ポート間で光ファイバが組み替え配線されたものについて有用である。
【図面の簡単な説明】
【００３８】
【図１】本発明の実施形態１に係る光ファイバシートの一例を示す平面図である。
【図２】図１のＡ部を拡大した平面図である。
【図３】従来の光ファイバシートの一例を示す平面図である。
【図４】本発明の実施形態２に係る光ファイバ配線体の一例を示す平面図である。
【符号の説明】
【００３９】
ＩＮ−１〜ＩＮ−４  入力ポート
ＯＵＴ−１〜ＯＵＴ−４  出力ポート
１〜４、１０〜４０  光ファイバ群
１ａ〜１ｄ  光ファイバ
Ｓ  シート基板
Ｃ  多芯光コネクタ
【図１】
2008059004.tif 000003
【図２】
2008059004.tif 000004
【図３】
2008059004.tif 000005
【図４】
2008059004.tif 000006